(57)【特許請求の範囲】
【請求項１】
サッカーボールの正しいキックを教えるためのサッカー指導用補助用具であって、外面を有するサッカーボールと、前記サッカーボールの外面に付された複数のキック目標部とからなり、前記各キック目標部が、前記サッカーボールの前記外面上の目標部分を、その目標部分を蹴ったときに、関連する経路又は軌道に沿って前記サッカーボールが飛ぶように蹴るべき位置に示し、前記キック目標部が、前記サッカーボールの或る面の中央に配置された中央目標部と、前記サッカーボールの前記面の両側に配置された右側サイドスピン目標部及び左側サイドスピン目標部とからなり、曲がった軌道に沿って前記サッカーボールが飛ぶように前記サッカーボールにサイドスピンを与えるように蹴るべき部分を示していることを特徴とするサッカー指導用補助用具。
【請求項２】
前記各キック目標部が、前記サッカーボールの表面の着色された部分で示されていることを特徴とする請求項１に記載のサッカー指導用補助用具。
【請求項３】
前記各キック目標部が、前記サッカーボールの表面に異なる色彩で着色された部分で示されていることを特徴とする請求項２に記載のサッカー指導用補助用具。
【請求項４】
前記各キック目標部が、前記サッカーボールの表面に付された矢印で示され、かつ前記矢印の先端が前記キック目標部を向いていることを特徴とする請求項１乃至３のいずれかに記載のサッカー指導用補助用具。
【請求項５】
前記各キック目標部が、前記サッカーボールの表面に付した番号付きの目標部分で示されていることを特徴とする請求項１乃至４のいずれかに記載のサッカー指導用補助用具。
【請求項６】
赤道線を形成する線のような印が、前記サッカーボールの周囲に延長し、選手が前記線の上側又は下側を蹴って前記サッカーボールの軌道をそれぞれ低く又は高く維持するためのキック目標部を提供していることを特徴とする請求項１乃至５のいずれかに記載のサッカー指導用補助用具。
【請求項７】
１対の隔離された実質的に水平かつ平行な目標線が、それらの間に、それより上を上側キック目標部分としかつそれより下を下側キック目標部分とする中央赤道帯を画定するように、前記サッカーボールの周囲に延長していることを特徴とする請求項１乃至６のいずれかに記載のサッカー指導用補助用具。
【請求項８】
前記キック目標部が、前記サッカーボールの前記面の頂部に設けられた上側目標部と、前記サッカーボールの前記面の底部に設けられた下側目標部とを更に有することを特徴とする請求項７に記載のサッカー指導用補助用具。
【請求項９】
１つ又は複数の前記キック目標部に、その最適のキック位置を向いた矢印が示されていることを特徴とする請求項１乃至８のいずれかに記載のサッカー指導用補助用具。
【請求項１０】
前記キック目標部が、前記サッカーボールの側面に十字形に配置された異なる色彩の帯状部の組で示されていることを特徴とする請求項１乃至９のいずれかに記載のサッカー指導用補助用具。
【請求項１１】
引き立つ色彩の矢印が、前記各帯状部において内側の中央位置から前記帯状部の外端へ向けて外向きに延長していることを特徴とする請求項１０に記載のサッカー指導用補助用具。
【請求項１２】
前記各矢印が、前記帯状部の外端に向けて幅が広がるテーパ状をなすことを特徴とする請求項１１に記載のサッカー指導用補助用具。
【請求項１３】
前記キック目標部が、前記サッカーボールを所望の方向に向けて頭で打つために前記サッカーボールの表面に設けられたヘディング用目標部であることを特徴とする請求項１乃至１２のいずれかに記載のサッカー指導用補助用具。
【請求項１４】
前記ヘディング用目標部が、前記サッカーボールの或る面の中央に配置された中央用ヘディング目標部と、前記サッカーボールの前記面の両側に設けられた右側ヘディング用目標部及び左側ヘディング用目標部とからなることを特徴とする請求項１３に記載のサッカー指導用補助用具。
【請求項１５】
前記中央ヘディング用目標部が、前記サッカーボールの赤道より上の上側区分とそれより下の下側区分とからなる２部分外側リングによって囲まれた中央スポットを有することを特徴とする請求項１４に記載のサッカー指導用補助用具。
【発明の詳細な説明】
技術分野
本発明は、指導のための補助用具に関し、特にフットボールを蹴る技術を指導する際に使用するためのフットボールに関する。
背景技術
フットボールは、蹴る部分が異なると、飛ぶ軌道が異なることはよく知られている。経験豊富なフットボール選手の多くは、ボールの特定の部分を蹴って所望の軌道に沿ってボールを飛ばすことにより、試合においてパスを出し又はシュートするためにボールの軌道を制御することに非常に長けている。例えば、サッカーの試合において、ペナルティエリアの周辺でフリーキックを蹴るときに、攻撃側の選手は、敵側の選手の防御壁を回ってゴールに向けてサッカーボールをカーブさせることが望ましい場合が多い。
また、状況が異なれば、必要なキック又はシュートのタイプが異なる。例えば防御の場合に、防御側の選手が自陣のゴール領域からサッカーボールをクリアするときには、単にサッカーボールをできるだけ遠くに蹴ることが目的となる。対照的に、攻撃の場合には、サッカーボールを真直ぐに又はカーブした軌道を描いて蹴るにせよ、サッカーボールの軌道が正確で良好に制御されることが、得点を得るために最優先されかつ極めて重要である。
同様に、サッカーボールのヘディングに関して、防御の場合に、防御側の選手は一般に、サッカーボールを上向きに自陣のゴールからできるだけ遠くにヘディングしようとする。逆に、攻撃の場合には、攻撃側の選手は大抵、サッカーボールを下向きに敵陣のゴールに向けてヘディングしようとする。
誰でもフットボールを蹴ることはできるが、ボールの軌道を正確に制御する能力を有する者は非常に少ない。多くのフットボールのコーチにとって、様々な異なるキックをするべくボールを制御するためにボールを正確に蹴る方法を教えることは、難しい場合が多い。このことは、特に子供及び若い選手について一般にあてはまることである。多くの選手は、所望のタイプのキックをするのにボールのどこを蹴るかということを、コーチから口頭で指導されても、その通りにしたり理解することは難しいと思っている。
本発明の目的は、上述した問題を解決することにある。
発明の開示
本発明によれば、その表面に１つ又は複数のキック目標部が付されたフットボールからなり、各キック目標部が、フットボールの表面上の目標部分を、その目標部分を蹴ったときに、関連する経路又は軌道に沿って前記フットボールが飛ぶように蹴るべき位置に示しているフットボール指導用補助用具が提供される。本発明によるフットボールは、特に選手にボールを蹴る技術を教えるのに有効である。このキック目標部は、選手が特定のタイプのキックを実現するために蹴る必要がある領域即ち部分を明確に示している。選手は、この目標部分を非常に容易に認識できる。指導する立場から言えば、コーチがすべきことは、単に選手にフットボール表面の特定の目標部分を蹴るように教えるだけであり、これを選手は容易に理解しかつ所望のキックをすることができる。
或る特に好適な実施例では、各キック目標部が、フットボールの表面の彩色部分で示されている。各キック目標部が、フットボールの表面に異なる色彩を付した部分により示されていると理想的である。これは、目標部分を明確に示すために特に有効である。特に子供は、これをより簡単に見つけて目標部分を認識することができる。最も一般的なフットボールは、通常は白色の単色、又は例えば黒色及び白色の部分からなる２色調である。従って、コーチは、所望のキックをするためにボールの特定の部分を蹴るように選手に口頭で説明することが難しいことを知っている。対照的に、本発明によるフットボールの場合、コーチがすべきことは、単に選手に例えば、フットボールの「青色」の部分を蹴ってキックすることを教えるだけである。選手は、容易に目標部分を見て蹴ることができ、従って、選手にとってキックをすることが簡単になる。
別の実施例では、前記フットボールがサッカーボールである。例えば、ボールを右や左へ曲げるサイドスピンを与えるため、低く蹴るため、又は長い距離を若しくは直線的なキックをするために、ボールを蹴るための様々な目標部分をサッカーボール上に付することができる。
別の実施例では、前記各キック目標部が、フットボール表面に付された矢印で示され、かつその矢印の先端が前記キック目標部を向いている。
更に別の実施例では、前記各キック目標部が、フットボール表面に付した番号付きの目標部分で示されている。
また、別の実施例では、ボールを頭で打ってボールを真直ぐ前方に、いずれかの横方向に又は下向きに送るためのヘディング用目標部分が、フットボールに設けられている。
好適な実施例では、前記ヘディング用目標部が、フットボールの或る面の中央に配置された中央用ヘディング目標部と、フットボールの前記面の両側に設けられた右側ヘディング用目標部及び左側ヘディング用目標部とからなる。好ましくは、前記中央ヘディング用目標部が、フットボールの赤道より上の上側区分とそれより下の下側区分とからなる２部分外側リングによって囲まれた中央スポットを有する。
或る場合には、例えば、サッカーボールの周りに延長する赤道線を形成する線のような印を設け、選手がその線よりも上側又は下側のいずれかを蹴ってボールがそれぞれ低い軌道又は高い軌道を保つようにするための目標を与えることができる。
或る好適な実施例では、１対の隔離された実質的に水平かつ平行な目標線がフットボールの周囲に延長して、それらの間に、それより上を上側目標部分としかつそれより下を下側目標部分とする中央赤道帯を画定している。
特に好適な実施例では、前記キック目標部が、フットボールの或る面の中央に配置された中央目標部と、フットボールの前記面の両側に配置された右側サイドスピン目標部及び左側サイドスピン目標部とからなる。
別の実施例では、前記キック目標部が、フットボールの前記面の頂部に設けられた上側目標部と、フットボールの前記面の底部に設けられた下側目標部とを更に有する。
また別の実施例では、１つ又は複数の前記キック目標部に、その最適のキック位置を向いた矢印が示されている。特に、前記矢印は、右側又は左側のサイドスピン目標部に設けることができる。
更に別の実施例では、前記キック目標部が、フットボールの側面に十字形に配置された異なる色彩の帯状部の組で示されている。好適には、引き立つ色彩の矢印が、前記各帯状部において内側の中央位置から帯状部の外端へ向けて外向きに延長している。理想的には、前記各矢印が、前記帯状部の外端に向けて幅が広がるテーパ状をなす。
本発明の別の側面によれば、上述したフットボール指導用補助用具に、その表面に画定されたキック部分が示されたフットボール用靴と組み合わせたフットボール指導用補助用具が提供される。コーチは、靴の表面の選択したキック部分でフットボール表面の特定の目標部を蹴るように選手に指示することができ、有利である。靴のキック部分が異なる色彩で示され、コーチが、例えば靴の「青色」のキック部分でフットボールの「赤色」の目標部を蹴るように選手に指示できるようになっていると好都合である。
【図面の簡単な説明】
本発明は、添付図面を参照しつつ、その単なる実施例として以下に記載される本発明のいくつかの具体的態様の説明から、より明確に理解することができる。
図１は、本発明によるサッカーボールの正面図である。
図２は、本発明の第２実施例による別のサッカーボールの正面図である。
図３は、本発明の第３実施例による更に別のサッカーボールの正面図である。
図４は、本発明の第４実施例による別のサッカーボールの正面図である。
発明を実施するための最良の形態
添付図面の図１には、参照符号１によって示された本発明によるフットボールが表わされている。本実施例において、このフットボール１はサッカーボールである。多くの異なる色彩を付したキック目標部が、サッカーボール１の表面に示されており、各キック目標部は、その目標部分を蹴ると関連する軌道に沿ってサッカーボール１が飛ぶように蹴るべきサッカーボール１の表面上の部分を示している。この場合、キック目標部は、概ね真直ぐな軌道に沿ってサッカーボールをキックするための中央目標部２を有する。右サイドスピン用キック目標部３及び左サイドスピン用キック目標部４は、サッカーボール１の両側に異なる色彩を付した部分によって示されている。サッカーボールのいずれかのサイドスピン用キック目標部を蹴ることにより、サッカーボールの軌道が曲がるようにサッカーボールにスピンが与えられる。
１対の隔離された実質的に平行かつ略水平な目標線５及び６が、サッカーボールの周囲を延長し、かつサッカーボールの頂部と底部との中間に配置されている。目標線５及び６は、その間に赤道帯を画定し、該赤道帯より上に上側目標部分及びそれより下に下側目標部分を設けている。サッカーボール１を目標線６より下側で蹴ると、ボールは高い弧を描くキックとなって長い距離を飛ばすことができる。サッカーボール１を目標線５より上側で蹴ると、サッカーボール１を比較的低い軌道で競技場の地面を又は地面直近を飛ばすことができる。
使用の際、コーチは、サッカーボール１の明確に示されているいずれかのキック目標部２、３又は４を蹴って、所望のキックをするように選手に指示することができる。各キック目標部２、３及び４に関連して異なる色彩が、選手がコーチの指示に従って所望のキックを簡単にできるようにするのに必要なサッカーボール上の蹴るべき部分を明確に示している。更に目標線５及び６は、コーチが選手にサッカーボール１のどこを蹴るのかを明確に指示する際の補助となる。
図２を参照すると、参照符号１０によって示された本発明による別のサッカーボールが概略的に示されている。サッカーボール１０の表面のキック目標部の配置は、サッカーボール１０を正しくヘディングする際の指導を容易にするように設けられている。本実施例において、キック目標部は、上側区分１２及び下側区分１３からなる２部分構成の外側リングに囲まれた中央スポット１１を有する。中央スポット１１は、最初に略水平な軌道でサッカーボール１０をヘディングするための目標部を提供する。上側区分１２は、サッカーボール１０を下向きにヘディングするための目標を提供し、下側区分１３は、サッカーボール１０を上向きに飛ばしてその飛距離を最大にするための目標を提供する。また、右側目標部１４及び左側目標部１５が、サッカーボール１０を左向き又は右向きにそれぞれヘディングするために設けられている。赤道線１６が、サッカーボール１０の周囲に付されている。赤道線１６より上でサッカーボール１０に当たると、サッカーボール１０は下向きの軌道に沿って送られ、赤道線１６より下でサッカーボール１０に当たると、サッカーボール１０は上向きに送られる。
図３を参照すると、本発明による更に別のサッカーボール２０が示されている。本実施例において、キック目標部は、中央目標部分２１、右側目標部分２２、左側目標部分２３、上側目標部分２４及び下側目標部分２５を有する。すべての目標部分２１〜２５は、各目標部分を明確に示すように異なる色彩で着色されている。右側目標部分２２及び左側目標部分２３には矢印２６が設けられ、サッカーボール２０に最大のスピンを与えるように蹴るのに望ましい目標部分の最外部に向けられている。
図４を参照すると、本発明による別のサッカーボール４０が示されている。本実施例において、キック目標部は、サッカーボール４０の各側面に十字形に配列された異なる色彩の帯状部４１〜４４の組で示されている。本実施例では白色の引き立つ色彩の矢印４５〜４８が、各着色帯状部４１〜４４において外向きに、中央部４９から、サッカーボール４０に最大のスピンを与えるようにキックするのに望ましい帯状部４１〜４４の外端に向けて延長している。中央部４９から外側へ移るにつれて与えられるスピンが増すことを強調するために、各矢印４５〜４８は、帯状部４１〜４４の外側に向かって幅が広がるテーパが付されている。
本発明によって、フットボールを蹴る技術を指導する際に使用されるフットボールが提供されることが分かる。フットボール上に異なる色彩を付したキック目標部を明確に画定することによって、選手、特に若い選手にフットボールを蹴る技術を指導する上で大きな補助となる。
全ゆる適当な方法によりフットボールの表面にキック目標部を明確に描くことができると考えられる。キック目標部は、必要に応じて指導を容易にするために番号を付してもよい。重要なことは、キック目標部がコーチ及び選手にとって容易に認識できることである。この目的を達成するために、キック目標部を着色することは特に望ましいが、或る場合には、キック目標部は、下地を目立つようにしてその上に単色で設けることができると考えられる。矢印及び／又は番号もまた、キック目標部を示すのに使用することができる。類似した目標部を、フットボールの両面に設けることができる。別の実施例では、異なる構成・形態の目標部をフットボールの両面に設けることができる。例えば、図１及び図２に示す目標部の形状を、１つのフットボール上に組み合わせて使用でき、或いは、図２及び図３に示す形状の目標部を、同じフットボール上に設けることができる。
また、本発明は、例えばラグビーやＧＡＡフットボールなどの他の競技のフットボールに適用することが考えられる。
本発明は、本明細書中に上述した実施例に限られるものではなく、その構成及び他の部分において変形・変更を加えて実施することができる。
【図１】
0004134336.tif 000002
【図２】
0004134336.tif 000003
【図３】
0004134336.tif 000004
【図４】
0004134336.tif 000005